(57)【要約】【課題】少ない専有面積で、より多くの居住スペース及び物品収納スペースを確保でき、しかも快適な居住環境を提供できる住宅を提供すること。【解決手段】一つの階において居室及び物品収納室を上下複層に配置した住宅であって、第一居室としてのリビング１及び第二居室２を配置し、第二居室２のフロワレベルは、リビング１を配置したフロアレベルより下方とし、第二居室２の上方に物品収納室４を配置し、リビング１の上方には居室及び物品収納室のいずれも配置していない住宅である。【選択図】図２
0003152535.tif 000002
【実用新案登録請求の範囲】
【請求項１】
一つの階において居室及び物品収納室を上下複層に配置した住宅であって、
第一居室としてのリビング及び第二居室を配置し、
第二居室のフロワレベルは、リビングを配置したフロアレベルより下方とし、
第二居室の上方に物品収納室を配置し、
リビングの上方には居室及び物品収納室のいずれも配置していない住宅。
【考案の詳細な説明】
【技術分野】
【０００１】
本考案は、一つの階において居住スペース及び物品収納スペースを多くした住宅に関する。
【背景技術】
【０００２】
国土面積が狭く、住宅の専有面積を広くとることが難しい我が国においては、限られた専有面積で、できるだけ多くの居住スペース及び物品収納スペースをとることが望まれる。
【０００３】
この観点から、従来様々な提案がなされており、例えば特許文献１には、リビングの床全体を床上げして床下全体に物品収納室を形成することが提案されている。これにより、リビングの床下全体を物品収納スペースとして活用でき、物品収納スペースを多くすることができる。
【０００４】
しかし、特許文献１では、住宅全体として、居住スペース（居室）及び物品収納スペース（物品収納室）の配置が適正化されているとは言えず、快適な居住環境を提供する点からも改善の余地が残されていた。
【先行技術文献】
【特許文献】
【０００５】
【特許文献１】実用新案登録第３１１０７０７号公報
【考案の概要】
【考案が解決しようとする課題】
【０００６】
本考案が解決しようとする課題は、少ない専有面積で、より多くの居住スペース及び物品収納スペースを確保でき、しかも快適な居住環境を提供できる住宅を提供することにある。
【課題を解決するための手段】
【０００７】
本考案に係る住宅は、一つの階において居室及び物品収納室を上下複層に配置した住宅であって、第一居室としてのリビング及び第二居室を配置し、第二居室のフロワレベルは、リビングを配置したフロアレベルより下方とし、第二居室の上方に物品収納室を配置し、リビングの上方には居室及び物品収納室のいずれも配置していないことを特徴とするものである。
【考案の効果】
【０００８】
本考案に係る住宅では、一つの階において居室及び物品収納室を上述のように上下複層に配置しているので、少ない専有面積で、より多くの居住スペース及び物品収納スペースを確保できる。
【０００９】
しかも、リビングの上方には居室及び物品収納室のいずれも配置していないので、リビングにおいては高い天井高さを確保でき、快適な居住環境を提供できる。また、第二居室のフロワレベルはリビングを配置したフロアレベルより下方としているので、その上方に物品収納室を配置していても高い天井高さを確保でき、快適な居住環境を提供できる。
【００１０】
これらによって、より多くの居住スペース及び物品収納スペースを確保しつつ、快適な居住環境を提供することができる。
【図面の簡単な説明】
【００１１】
【図１】本考案に係る住宅の一実施例を示すパース図である。
【図２】図１に示す住宅を分解して示すパース図である。
【考案を実施するための形態】
【００１２】
以下、図面に示す実施例に基づき本考案の実施の形態を説明する。
【００１３】
図１は本考案に係る住宅の一実施例を示すパース図、図２は図１に示す住宅を分解して示すパース図である。
【００１４】
図１及び図２に示す住宅は、集合住宅の一階を構成するものであって、この一階において居室及び物品収納室が上下複層に配置されている。
【００１５】
まず、第一居室としてリビング１が配置されている。このリビング１の上方には居室及び物品収納室のいずれも配置されていない。
【００１６】
リビング１に隣接して第二居室として洋室２が配置されている。この洋室２のフロワレベルは、リビング１を配置したフロアレベルより下方としている。洋室２にはバルコニー３が面している。
【００１７】
また、洋室２の上方には第一物品収納室４が配置されている。第一物品収納室４には、リビングを配置したフロアレベルから第一階段５を介して出入り可能となっている。そして、第一階段５の横には浴室６、洗面室７及びトイレ８が配置されている。
【００１８】
さらに、リビング１を配置したフロアレベルより上方に、第三居室としての洋室９が配置されている。洋室９には、リビング１を配置したフロアレベルから第二階段１０を介して出入り可能となっている。
【００１９】
洋室９の下方に第二物品収納室１１が配置されている。また、洋室９に隣接して第三物品収納室としてロフト１２が配置されている。なお、図１においてロフト１２は簡略化して示している。このロフト１２には、洋室９から、あるいは第二階段１０から出入り可能となっている。そして、ロフト１２の下方にはキッチン１３が配置されている。
【００２０】
このように、本考案では、一つの階において居室及び物品収納室を上下複層に配置しているので、少ない専有面積で、より多くの居住スペース及び物品収納スペースを確保できる。例えば本実施例では、専有面積６０ｍ２で通常は２ＬＤＫの間取りになるところ、２ＬＤＫ＋３ｓの間取りにでき、生活空間としては専有面積６０ｍ２の１．５倍の９０ｍ２を確保できた。
【００２１】
また、リビング１の上方には居室及び物品収納室のいずれも配置していないので、リビング１においては高い天井高さを確保でき、快適な居住環境を提供できる。また、第二居室としての洋室２のフロワレベルはリビング１を配置したフロアレベルより下方としているので、その上方に第一物品収納室４を配置していても高い天井高さを確保でき、快適な居住環境を提供できる。さらに、ロフト１２の下方には、天井高さが低くてもそれほど気にならないキッチン１３を配置している。これらによって、より多くの居住スペース及び物品収納スペースを確保しつつ、快適な居住環境を提供することができる。
【００２２】
以上の実施例は集合住宅の一階としたが、二階以上であってもよいし、集合住宅でなく一戸建てとしてもよい。
【符号の説明】
【００２３】
１  リビング（第一居室）
２  洋室（第二居室）
３  バルコニー
４  第一物品収納室
５  第一階段
６  浴室
７  洗面室
８  トイレ
９  洋室（第三居室）
１０  第二階段
１１  第二物品収納室
１２  ロフト（第三物品収納室）
１３  キッチン
【図１】
0003152535.tif 000003
【図２】
0003152535.tif 000004
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
一つの階において居室及び物品収納室を上下複層に配置した住宅であって、
第一居室としてのリビング及び第二居室を配置し、
第二居室のフロアレベルは、リビングを配置したフロアレベルより下方とし、
第二居室の上方に物品収納室を配置し、
リビングの上方には居室及び物品収納室のいずれも配置していない住宅。
【手続補正２】
【補正対象書類名】明細書
【補正対象項目名】０００７
【補正方法】変更
【補正の内容】
【０００７】
本考案に係る住宅は、一つの階において居室及び物品収納室を上下複層に配置した住宅であって、第一居室としてのリビング及び第二居室を配置し、第二居室のフロアレベルは、リビングを配置したフロアレベルより下方とし、第二居室の上方に物品収納室を配置し、リビングの上方には居室及び物品収納室のいずれも配置していないことを特徴とするものである。
【手続補正３】
【補正対象書類名】明細書
【補正対象項目名】０００９
【補正方法】変更
【補正の内容】
【０００９】
しかも、リビングの上方には居室及び物品収納室のいずれも配置していないので、リビングにおいては高い天井高さを確保でき、快適な居住環境を提供できる。また、第二居室のフロアレベルはリビングを配置したフロアレベルより下方としているので、その上方に物品収納室を配置していても高い天井高さを確保でき、快適な居住環境を提供できる。
【手続補正４】
【補正対象書類名】明細書
【補正対象項目名】００１６
【補正方法】変更
【補正の内容】
【００１６】
リビング１に隣接して第二居室として洋室２が配置されている。この洋室２のフロアレベルは、リビング１を配置したフロアレベルより下方としている。洋室２にはバルコニー３が面している。
【手続補正５】
【補正対象書類名】明細書
【補正対象項目名】００２１
【補正方法】変更
【補正の内容】
【００２１】
また、リビング１の上方には居室及び物品収納室のいずれも配置していないので、リビング１においては高い天井高さを確保でき、快適な居住環境を提供できる。また、第二居室としての洋室２のフロアレベルはリビング１を配置したフロアレベルより下方としているので、その上方に第一物品収納室４を配置していても高い天井高さを確保でき、快適な居住環境を提供できる。さらに、ロフト１２の下方には、天井高さが低くてもそれほど気にならないキッチン１３を配置している。これらによって、より多くの居住スペース及び物品収納スペースを確保しつつ、快適な居住環境を提供することができる。